(57)【要約】【課題】集合住宅に設置した場合に、維持コストを抑えることができる照明器具を提供すること。【解決手段】天井面或いは壁面に設置される照明器具１において、複数のＬＥＤ４１を列状に配置して線状光源を構成したＬＥＤ光源５と、前記ＬＥＤ光源５を収め、前記ＬＥＤ光源５の正面から両側にかけて切り欠いた照射開口１３を設けた器具本体３と、前記器具本体３の照射開口１３を覆う光拡散性のカバー部材１５と、を備える。【選択図】図１
2010055893.tif 000002
【特許請求の範囲】
【請求項１】
天井面或いは壁面に設置される照明器具において、
複数のＬＥＤを列状に配置して線状光源を構成したＬＥＤ光源と、
前記ＬＥＤ光源を収め、前記ＬＥＤ光源の正面から両側にかけて切り欠いた照射開口を設けた器具本体と、
前記器具本体の照射開口を覆う光拡散性のカバー部材と、
を備えたことを特徴とする照明器具。
【請求項２】
複数の前記ＬＥＤ光源を所定の間隔で線状に配置し、
前記カバー部材における前記ＬＥＤ光源の対向位置と、前記ＬＥＤ光源同士の中間位置との輝度比が所定値になるように前記ＬＥＤ光源から前記カバー部材までの距離を設定した
ことを特徴とする請求項１に記載の照明器具。
【請求項３】
前記器具本体を側方からみたときに、前記照射開口の縁部の下端部分が前記ＬＥＤ光源よりも上に位置することを特徴とする請求項１又は２に記載の照明器具。
【請求項４】
前記器具本体を側方からみたときに、前記照射開口の両端の縁部が前記器具本体の上面に向けて広がるように傾斜することを特徴とする請求項１乃至３のいずれかに記載の照明器具。
【発明の詳細な説明】
【技術分野】
【０００１】
本発明は、天井や壁面に設置される照明器具に係り、特に、複数のＬＥＤを配列してなる線状光源を有し、集合住宅の外階段の踊り場や共用廊下の照明に好適な照明器具に関する。
【背景技術】
【０００２】
従来、集合住宅の外階段の踊り場や共用廊下には、直管形の蛍光灯を光源として内蔵した照明装置が設置されている（例えば、特許文献１、２参照）。
【特許文献１】実開昭５８−１１３２０９号公報
【特許文献２】特開平７−３０２５０９号公報
【発明の開示】
【発明が解決しようとする課題】
【０００３】
上記の照明装置は、外階段の踊り場のそれぞれに設置され、また、共用廊下の通路方向に沿って所定の間隔で設置される。このため、集合住宅の規模が大きくなるほど、照明装置の設置台数が多くなり、電気料金が高くなったり、蛍光灯の交換作業が大変になるなど維持コストが高くなる。
本発明は、上述した事情に鑑みてなされたものであり、維持コストを抑えることができる照明器具を提供することを目的とする。
【課題を解決するための手段】
【０００４】
上記目的を達成するために、本発明は、天井面或いは壁面に設置される照明器具において、複数のＬＥＤを列状に配置して線状光源を構成したＬＥＤ光源と、前記ＬＥＤ光源を収め、前記ＬＥＤ光源の正面から両側にかけて切り欠いた照射開口を設けた器具本体と、前記器具本体の照射開口を覆う光拡散性のカバー部材と、を備えたことを特徴とする。
【０００５】
また本発明は、上記の照明器具において、複数の前記ＬＥＤ光源を所定の間隔で線状に配置し、前記カバー部材における前記ＬＥＤ光源の対向位置と、前記ＬＥＤ光源同士の中間位置との輝度比が所定値になるように前記ＬＥＤ光源から前記カバー部材までの距離を設定したことを特徴とする。
【０００６】
また本発明は、上記の照明器具において、前記器具本体を側方からみたときに、前記照射開口の縁部の下端部分が前記ＬＥＤ光源よりも上に位置することを特徴とする。
【０００７】
また本発明は、上記の照明器具において、前記器具本体を側方からみたときに、前記照射開口の両端の縁部が前記器具本体の上面に向けて広がるように傾斜することを特徴とする。
【発明の効果】
【０００８】
本発明によれば、複数のＬＥＤを列状に配置して線状光源を構成したＬＥＤ光源と、前記ＬＥＤ光源を収め、前記ＬＥＤ光源の正面から両側にかけて切り欠いた照射開口を設けた器具本体と、前記器具本体の照射開口を覆う光拡散性のカバー部材と、を備えて照明器具が構成される。このため、照明器具の正面のみならず側方にも照射可能となり、従来のトラフ形蛍光灯器具と同様な使い方をすることができ、省電力、長寿命、水銀フリーといったＬＥＤの持つ利点を享受することができる。特に、省電力及び長寿命が可能であるから照明器具１の維持コストを抑えることができる。また、カバー部材が光拡散性を有するため、ＬＥＤ光源の眩しさを抑えることができる。
【発明を実施するための最良の形態】
【０００９】
以下、図面を参照して本発明の実施の形態について説明する。
図１は本発明の実施形態に係る照明器具１の正面、平面、底面及び左側面を示す図であり、図２は図１の平面図におけるＡ−Ａ矢視断面図であり、また、図３は照明器具１の分解図である。
これらの図に示すように、照明器具１は、天井面や壁面などに直付け設置される器具本体３に、ＬＥＤ光源５を有する光源部１７を収容した、いわゆる直付形照明器具として構成されている。
器具本体３は、平面視矩形状に形成されており、その底面寸法（長さ及び幅）は、蛍光管を光源に使用した従来の照明器具と略同一になされている。このため、集合住宅などで既設の照明器具を、本実施形態の照明器具１に置き換えた場合に、既設の照明器具により天井面や壁面に生じている変色（日焼けなどの跡）を覆い隠すことができる。
【００１０】
器具本体３は、上記底面を構成するベース体７に、半円筒形のケース体９をねじ１１により一体に固定して構成されており、該ケース体９の上面には、長手方向の略中央部に、側面視略台形形状に切り欠いて形成した照射開口１３が設けられている。照射開口１３には、例えばアクリルなどの樹脂材をインジェクション成型してなるカバー部材１５が内側からねじ止め固定されて、当該カバー部材１５によって照射開口１３が覆われている。
本実施形態では上記ケース体９をアルミダイカストから形成し、当該ケース体９の照射開口１３にカバー部材１５を別途に取付ける構成としている。この構成の他にも、ケース体９及びカバー部材１５とをアクリルなどの樹脂材から一体成形し、ケース体９に相当する箇所の表面を遮光性の塗料で着色し、カバー部材１５に相当する非着色の箇所から光を照射する構成としてもよい。
【００１１】
またベース体７の略中央部に、商用電源などの電源ケーブルの引込用孔２３が形成されており、この引込用孔２３の両側には、器具本体３を天井面や壁面に鋲などで留め付けるための留付孔２５、２７がそれぞれ設けられている。これら引込用孔２３、留付孔２５、２７のピッチを既設の照明器具と同一とすることで既設の照明器具の置き換え設置が容易となる。
器具本体３を天井面などに設置する際には、ベース体７の裏面に、同じく引込用孔２３Ａ、留付孔２５Ａ、２７Ａが形成された防水用のゴムパッキン２９を貼り付けて設置されている。このとき、ゴムパッキン２９の色を黒色などの暗い色とすることで、設置状態における照明器具１の見た目の厚みを軽減することができる。
【００１２】
照明器具１の内部には、上記光源部１７と、電源端子台１９と、ドライバ回路２１とがベース体７に固定して収められている。電源端子台１９には、引込用孔２３から引き込まれた電源ケーブルが速結接続され、この電源端子台１９から電気配線を介してドライバ回路２１に給電される。ドライバ回路２１は光源部１７の点灯を制御する回路である。
光源部１７は上記照射開口１３の直下に相当する略中央に配置され、光源部１７を挟んだ両側にそれぞれ電源端子台１９、ドライバ回路２１が配置されている。
【００１３】
光源部１７は、２つのＬＥＤ光源５と、取付プレート３１と、放熱体３３と、を備えている。
ＬＥＤ光源５は、図３に示すように、基板４０上に多数のＬＥＤ（発光ダイオード）４１を一列に密に配列して１つの線状の光源とし、これを矩形の金属板４２に載置固定したものである。放熱体３３は、例えばアルミニウムなどの高熱伝導材を板状に形成し、一方の面に放熱フィン３５を形成したものであり、他方の面に、２つのＬＥＤ光源５を直線上に配列してねじ止め固定される。取付プレート３１は、ベース体７の底面から浮かせた状態で放熱体３３を取付けるための矩形の板材であり、ＬＥＤ光源５を避けるための開口４３が形成され、放熱体３３のＬＥＤ光源５の取付面側にねじ止め固定される。
また、器具本体３のベース体７には、この取付プレート３１の対角線上の２つの隅部がねじ止めされて支持する支持台座４５が設けられており、この支持台座４５により、光源部１７が放熱体３３を底面から浮いた状態で取付けられる。
【００１４】
ここで、取付プレート３１をベース体７にねじ止めするためのねじ孔４７、４９は、一方のねじ孔４７が長穴に形成され、他方のねじ孔４９がだるま穴に形成されており、図４に示すように、長穴のねじ孔４７を軸に、取付プレート３１を回動可能に構成されている。これにより、天井面や壁面に照明器具１を設置する際に、取付プレート３１を回動させることで、光源部１７の裏側に隠れた引込用孔２３、留付孔２７を露出させ、電源ケーブルを引き込んだり、ベース体７を天井面や壁面にねじ止めすることができる。
このとき、取付プレート３１がドライバ回路２１に近い方の隅部を支点に回動する構成としているため、ドライバ回路２１と光源部１７（ＬＥＤ光源５）の間の電気配線が回動動作に与える影響が小さくなる。
【００１５】
図５は、団地やマンション、アパートなどの集合住宅に設けられた共用廊下５０の天井面５１に照明器具１を設置した態様を示す図である。
同図に示す共用廊下５０は、通路に面した片側に各戸の玄関扉が通路方向に沿って配置され、他方の片側に設けられた壁面５３の上方が外部に開放された、いわゆる片廊下（開放廊下とも呼ばれる）である。この例の共用廊下５０は、通路の横幅Ｗが１８００ｍｍ、天井面５１から床面５２までの距離Ｌ１が２３００ｍｍ、天井面５１から壁面５３の上端までの距離Ｌ２が１５００ｍｍに構成されている。なお、図示を省略するが、共用廊下５０には、通路に沿って略等間隔に、照明器具１が配置されている。
【００１６】
照明器具１は、線状光源としてのＬＥＤ光源５が、通路方向に対して略垂直な姿勢となるように配置され、通路方向を遠くまで照射するように構成されている。
更に詳述すると、上述したように、半円筒形のケース体９の上面を側面視略台形形状に切り欠いて照射開口１３が形成されているため、照明器具１の上面（ＬＥＤ光源５の正面）に加え両側面にも開口することとなるから両側に向けても光が照射される。これにより、ＬＥＤ光源５を光源部１７に備えつつ、従来のトラフ形蛍光灯器具と同様な使い方をすることができ、省電力、長寿命、水銀フリーといったＬＥＤの利点を享受することができる。特に、本実形態の照明器具１においては、例えば消費電力１３ワットの蛍光灯器具と同等の性能を消費電力７ワットで実現している。
【００１７】
また、ＬＥＤは、紫外線の放射が少ないため、片廊下のように外部に開放した場所で使用する際に、虫が寄りにくいといった効果も得られる。
ただし、共用廊下５０が片廊下である場合、夜間においては、片側の壁面５３の開放部分から外部に漏れ光が生じる。この漏れ光を制御するために、上記照射開口１３が、照明器具１を側方からみたときに両端側の縁部１３Ｂが逆ハの字に傾斜して切り欠かれている。この傾斜によって、図５に示すように、両端側の縁部１３Ｂから出る光の方向（照射範囲）が制限されるから、壁面５３側の上方位置への光照射をカットして漏れ光を抑えることができる。
本実施形態では、天井面５１（設置面）に対する照射開口１３の縁部１３Ｂの切欠の傾斜角度θを約３３度とすることで、床面５２における照明器具１の直下Ｐ１での照度を、従来の例えば１０ワットのトラフ形蛍光灯の照明器具と同等に維持した場合でも、壁面５３側の鉛直面における開放部分（測定点Ｐ２）での照度、つまり漏れ光を従来のトラフ形蛍光灯の照明器具に比べて約４５％削減可能としている。
【００１８】
上記照射開口１３の切欠の上面からの深さＪ（図１参照）は、当該照明器具１を側面からみたときに、内蔵のＬＥＤ光源５よりも上の（浅い）位置に制限されている。これにより、照射開口１３の縁部の下端部分１３Ａに沿って、カバー部材１５に影（暗部）が生じるのが防止され、意匠性の向上が図られる。
【００１９】
ここで、上述の通り、光源部１７は、線状光源として構成した２つのＬＥＤ光源５を直線上に並べて構成しているものの、それぞれのＬＥＤ光源５の間には隙間δが設けられている。このように隙間δがあることで、照明器具１の長手方向の照射範囲が広げられるものの、隙間δ部分の輝度が低いために外側からは２つのＬＥＤ光源５の輝点が分離して見えてしまい、蛍光灯のように１つの線状光源のようには見えなく意匠性が低下するという問題がある。
そこで本実施形態では、カバー部材１５をフロスト加工するなどして半透明にし、光拡散性をもたせることで、カバー部材１５における輝度差を小さくするようにしている。しかしながら、カバー部材１５の光拡散性を高くするほど輝度差を小さくすることができるものの照明率が下がり、照度が低下してしまう。このため、これを補うために、ＬＥＤ光源５の出力を高める必要があるものの、そうすると、省電力というＬＥＤの効果が犠牲になる。
【００２０】
そこで本実施形態では、図１に示すように、カバー部材１５におけるＬＥＤ光源５の対向位置Ｑ１（輝度が最も高い場所）と、ＬＥＤ光源５同士の中間位置Ｑ２との輝度比が所定値になるように各ＬＥＤ光源５からカバー部材１５までの距離Ｋ（図２参照）を設定する構成としている。輝度比の所定値とは、各ＬＥＤ光源５の光の重なりにより（例えば図２）、各位置Ｑ１、Ｑ２の輝度差が小さくなり、ＬＥＤ光源５の間の隙間δにおける輝度低下が目立たなくなる輝度比である。このとき、カバー部材１５が光拡散性を有するため、カバー部材１５が透明な場合に比べ、距離Ｋの変化に対して輝度差が大きく縮められるから照明器具１の厚みも抑えられる。
【００２１】
位置Ｑ１、Ｑ２の輝度比は、平面視で測定した場合と、側面視で測定した場合とで値が異なり、本実施形態では、平面視で測定した場合にＱ２／Ｑ１≒３／５、側面視で測定した場合にはＱ２／Ｑ１≒８／１１といったように、それぞれ輝度比を１／２以内とすることで、平面視及び側面視のそれぞれで、２つのＬＥＤ光源５が１つの線状光源にみえるようにしている。
なお、上記輝度比は、あくまでも例示であり、ＬＥＤ光源５におけるＬＥＤ４１の各出力や密集度などにより異なることもある。
【００２２】
以上説明したように、本実施形態によれば、多数のＬＥＤ４１を列状に配置して線状光源を構成するＬＥＤ光源５を、このＬＥＤ光源５の正面から両側にかけて切り欠いた照射開口１３を設けた器具本体３に収めて照明器具１を構成した。このため、照明器具１の正面のみならず側方にも照射可能となり、従来のトラフ形蛍光灯器具と同様な使い方をすることができ、省電力、長寿命、水銀フリーといったＬＥＤの持つ利点を享受することができる。特に、省電力及び長寿命が可能であるから照明器具１の維持コストを抑えられる。また、カバー部材１５が光拡散性を有するため、ＬＥＤ光源５の眩しさを抑えることができる。
【００２３】
また本実施形態によれば、ＬＥＤ光源５を所定の隙間δをあけて線上に配置するとともに、カバー部材１５におけるＬＥＤ光源５の対向位置Ｑ１と、ＬＥＤ光源５同士の中間位置Ｑ２との輝度比が所定値になるように各ＬＥＤ光源５からカバー部材１５までの距離Ｋを設定する構成とした。
この構成により、照明器具１の長手方向の照射範囲を拡張しつつ、なおかつ、２つのＬＥＤ光源５が連なってみえるようにすることができ意匠性の向上を図ることができる。
特に、カバー部材１５が光拡散性を有するため、カバー部材１５が透明な場合に比べ、距離Ｋの変化に対して輝度差が大きく縮められるから照明器具１の厚みも抑えられる。
【００２４】
また本実施形態によれば、照明器具１を側方からみたときに、照射開口１３の縁部の下端部分１３ＡがＬＥＤ光源５よりも上に位置する構成としたため、照射開口１３の縁部の下端部分１３Ａに沿って、カバー部材１５に影（暗部）が生じるのが防止され、意匠性の向上が図られる。
【００２５】
また本実施形態によれば、器具本体３を側面からみたときに、照射開口１３の両端の縁部１３Ｂが器具本体３の上面に向けて広がるように傾斜する構成としたため、この傾斜によって、器具本体３を側面からみたときに、照射開口１３の両端側から向かう光の方向（照射範囲）が規制される。これにより、照明器具１を片廊下に設置した際の漏れ光を抑えることができる。
【００２６】
なお、上述した実施の形態は、あくまでも本発明の一態様を示すものであり、本発明の範囲内で任意に変形および応用が可能である。
例えば、図６に示すように、カバー部材１５０を照射開口１３から突出させた形状としてもよい。このような形状とすることで、照明器具１の全体の厚みを大きくすることなく、ＬＥＤ光源５からカバー部材１５０までの距離Ｋを大きくして、内蔵する複数のＬＥＤ光源５同士が１つの線状光源にみえるようにすることができる。
【図面の簡単な説明】
【００２７】
【図１】本発明の実施形態に係る照明器具の正面、平面、底面及び左側面をともに示す図である。
【図２】図１の平面図におけるＡ−Ａ矢視断面図である。
【図３】照明器具の分解図である。
【図４】照明器具の設置を説明するための図である。
【図５】照明器具の設置の態様を示す図である。
【図６】本発明の変形例に係る照明器具の正面、平面、底面及び左側面をともに示す図である。
【符号の説明】
【００２８】
１  照明器具
３  器具本体
５  ＬＥＤ光源
７  ベース体
９  ケース体
１３  照射開口
１５、１５０  カバー部材
１７  光源部
３１  取付プレート
３３  放熱体
４１  ＬＥＤ
４５  支持台座
５０  共用廊下
５１  天井面
５２  床面
５３  壁面
Ｋ  距離
【図１】
2010055893.tif 000003
【図２】
2010055893.tif 000004
【図３】
2010055893.tif 000005
【図４】
2010055893.tif 000006
【図５】
2010055893.tif 000007
【図６】
2010055893.tif 000008